(57)【要約】【課題】  ＲＦ部の規模および負担を減少させ、かつ耐妨害性を高めることが可能な周波数ホッピング無線通信装置およびその周波数ホッピング方法ならびに送信装置および受信装置の提供。【解決手段】  周波数ホッピング無線通信装置１は、一定時間毎に、任意の周波数帯域かつ任意のホッピングパターンで基準情報信号を送信する送信装置１１と、ホッピングパターンを含む信号を受信し、受信した信号を離散フーリェ変換してホッピング信号の周波数を検出し、周波数検出したホッピング信号を復調して前記基準情報信号を得る受信装置２１とを含む。【選択図】      図１
2011188316.tif 000002
【特許請求の範囲】
【請求項１】
一定時間毎に、任意の周波数帯域かつ任意のホッピングパターンで基準情報信号を送信する送信装置と、
ホッピングパターンを含む信号を受信し、受信した信号を離散フーリェ変換してホッピング信号の周波数を検出し、周波数検出したホッピング信号を復調して前記基準情報信号を得る受信装置とを含むことを特徴とする周波数ホッピング無線通信装置。
【請求項２】
一定時間毎に前記基準情報信号が送信される周波数帯域パターンは前記受信装置側において既知であることを特徴とする請求項１記載の周波数ホッピング無線通信装置。
【請求項３】
前記基準情報信号が送信される一定時間毎の周波数帯域幅は、ホッピング周波数可変帯域幅のｎ（ｎは２以上の整数）分の１であることを特徴とする請求項１または２記載の周波数ホッピング無線通信装置。
【請求項４】
前記送信装置は、前記基準情報信号を変調する変調部と、前記基準情報信号を周波数ホッピングする周波数ホッピング部と、周波数ホッピング後の信号を電力増幅する電力増幅部とを含むことを特徴とする請求項１から３のいずれかに記載の周波数ホッピング無線通信装置。
【請求項５】
前記受信装置は、ホッピングパターンを含む信号を受信して高周波増幅する高周波増幅部と、高周波増幅した信号を周波数変換する周波数変換部と、周波数変換後のアナログ信号をデジタル信号に変換するＡＤ（Ａｎｏｌｏｇ  ｔｏ  Ｄｉｇｉｔａｌ）変換部と、デジタル変換後の信号を離散フーリェ変換するＤＦＴ（Ｄｉｓｃｒｅｔｅ  Ｆｏｕｒｉｅｒ  Ｔｒａｎｓｆｏｒｍ）部と、離散フーリェ変換後の信号を復調する復調部とを含むことを特徴とする請求項１から４のいずれかに記載の周波数ホッピング無線通信装置。
【請求項６】
一定時間毎に、任意の周波数帯域かつ任意のホッピングパターンで基準情報信号を送信する送信ステップと、
ホッピングパターンを含む信号を受信し、受信した信号を離散フーリェ変換してホッピング信号の周波数を検出し、周波数検出したホッピング信号を復調して前記基準情報信号を得る受信ステップとを含むことを特徴とする周波数ホッピング無線通信装置の周波数ホッピング方法。
【請求項７】
一定時間毎に前記基準情報信号が送信される周波数帯域パターンは受信側において既知であることを特徴とする請求項６記載の周波数ホッピング方法。
【請求項８】
前記基準情報信号が送信される一定時間毎の周波数帯域幅は、ホッピング周波数可変帯域幅のｎ（ｎは２以上の整数）分の１であることを特徴とする請求項６または７記載の周波数ホッピング方法。
【請求項９】
一定時間毎に、任意の周波数帯域かつ任意のホッピングパターンで基準情報信号を送信することを特徴とする周波数ホッピング無線通信用送信装置。
【請求項１０】
一定時間毎に、任意の周波数帯域かつ任意のホッピングパターンで送信される基準情報信号を受信し、受信した信号を離散フーリェ変換してホッピング信号の周波数を検出し、周波数検出したホッピング信号を復調して前記基準情報信号を得ることを特徴とする周波数ホッピング無線通信用受信装置。
【発明の詳細な説明】
【技術分野】
【０００１】
本発明は、周波数ホッピング無線通信装置およびその周波数ホッピング方法ならびに送信装置および受信装置に関し、特に陸上移動無線機や船舶および航空機に搭載する移動無線機の通信に秘匿性を持たせるための技術に関する。
【背景技術】
【０００２】
本発明に関連する周波数ホッピング方式を用いた無線通信装置では、情報を送信する送信無線局と情報を受信する受信無線局の双方で、ホッピングする周波数を同期させるために、ホッピングタイミング（ホッピング時刻）と、変化する周波数を示すタイムテーブル（ホッピングタイムテーブル）とを共有し、このホッピングタイムテーブルに従って送信無線局と受信無線局とが送信周波数および受信周波数を変化させつつ情報の授受を行っている。
【０００３】
したがって、無線通信装置がホッピング時刻を共有するためのＧＰＳ（Ｇｌｏｂａｌ  Ｐｏｓｉｔｉｏｎｉｎｇ  Ｓｙｓｔｅｍ）受信機能等を有しない場合は、受信無線局が送信無線局と時刻同期することができず、したがって実時間で変化するホッピングタイムテーブルのフェーズを一致させることができなかった。
【０００４】
一方、受信無線局が送信無線局側で発生するホッピング周波数と同期を取るための関連技術の一例が知られている。図９は関連技術におけるホッピング周波数の同期方法の一例を示す模式図である。同図において、縦軸はホッピング周波数（Ｈｚ），横軸は時間（ｓｅｃ．）を示している。
【０００５】
同図に示すように、送信無線局側から一定周期で既知の周波数（以下、“基準情報信号”と表示する）を送出し、受信無線局側ではその周波数で待ち受け、基準情報信号を検出することにより、従属的に時刻同期を行っている。
【０００６】
ここで、基準情報信号は、ネットワークタイムリファレンス（以下、“ＮＴＲ”と表示する）信号、もしくはビーコン信号と呼ばれ、送信無線局のタイムスタンプやホッピングパターン、ＮＴＲ周期、加入するネットワークの情報等を含んでおり、通信を確立するために必要不可欠な情報である。
【０００７】
一方、ＮＴＲ信号は周期的かつ既知の周波数であるため、妨害目的の第三者が当該周波数帯域のパワースペクトラムを一定期間モニタすることで、ＮＴＲ信号の存在を発見し、妨害等を行うことで、受信無線局側でＮＴＲ信号が捕捉できず、よって送受信無線局間で通信を確立できない状態に陥るおそれがある。
【０００８】
これに対し、妨害目的の第三者に対しＮＴＲ信号を検知させないようにするために、ＮＴＲ信号を既知の一定周波数とせず、限定したホッピングパターンで送信することも可能である。図１０は関連技術におけるホッピング周波数の同期方法の他の一例を示す模式図である。同図において、縦軸はホッピング周波数（Ｈｚ），横軸は時間（ｓｅｃ．）を示している。
【０００９】
同図を参照すると、関連技術の他の例では、送信無線局側でＮＴＲ信号を既知のホッピング周波数パターンで分割し、受信無線局側では既知であるホッピング周波数パターン通りに受信することで、ＮＴＲ信号を得ている。
【００１０】
一方、未知のホッピング周波数を復調するために、アナログ素子、例えばＳＡＷ（Ｓｕｒｆａｃｅ  Ａｃｏｕｓｔｉｃ  Ｗａｖｅ；表面弾性波）素子を分散遅延線等として使用する方法が知られている。しかし、アナログ素子はその温度特性や経年変化等により特性が変化しやすく、またパラメータを簡単に変えることができないという欠点がある。
【００１１】
この欠点を解消するための関連技術が特許文献１に開示されている。これは、受信側において、ＤＦＴ（Ｄｉｓｃｒｅｔｅ  Ｆｏｕｒｉｅｒ  Ｔｒａｎｓｆｏｒｍ；離散フーリェ変換）を用いた周波数検出部で受信信号からホッピング周波数間隔およびホッピング周波数を、高速フーリェ変換とフィルタバンク回路を組み合わせた処理により検出し、送信側で拡散に使用した周波数コードに基づく周波数パターンにより逆拡散を行い、情報を復調するものである。
【００１２】
また、その他の関連技術の一例が特許文献２に開示されている。これは、短いおよび長い継続時間の符号を備えるプリアンブルを有する受信直交周波数分割多重化（ＯＦＤＭ）信号に受信器を同期させる方法であって、フーリェ変換により受信ＯＦＤＭ信号を周波数領域成分に変換する段階と、周波数領域成分をタイミング成分に処理する段階と、タイミング成分からタイミング情報を引き出す段階と、受信器を同期させるためにタイミング情報を受信ＯＦＤＭ信号に適用する段階と、を含み、上記段階の全ては、短符号のうちの１つの間に実行されるというものである。
【００１３】
また、その他の関連技術の一例が特許文献３に開示されている。これは、無線通信装置に関するものであり、無線通信装置がベースバンド処理回路と、２台の無線装置と、２台のアンテナとにより構成されている。ベースバンド処理回路は周波数ホッピング用のホッピングパターン発生処理を行う機能を有している。また、２台の無線装置は、それぞれ任意のホッピングパターンにより周波数ホッピング処理を同期して行う。そして、受信時には、２台の無線装置は、誤り検出されなかった方の受信データを選択する機能を有する、というものである。
【００１４】
また、その他の関連技術の一例が特許文献４に開示されている。これは、無線通信システムにおける制約されたホッピングおよびチャネル推定に関するものである。この無線通信システムでは、１または複数のサブ領域に分割された周波数帯域内にユーザをスケジュールする。そして、帯域幅の全体を、複数のサブ帯域に分割することにより、所定のサブ帯域内のサブキャリアが常に同じサブ帯域内でホップするようにホッピングパターンが制約される、というものである。
【先行技術文献】
【特許文献】
【００１５】
【特許文献１】特開平１１−２５１９６９号公報
【特許文献２】特開２００２−１８５４２８号公報
【特許文献３】特開２００９−００５０３７号公報
【特許文献４】特表２００８−５２６１４１号公報
【発明の概要】
【発明が解決しようとする課題】
【００１６】
しかし、図１０に示す関連技術では、ホッピング周波数切り替え時間が高速になるため、ホッピング時刻を同期させるために高性能な周波数シンセサイザやフィルタが必要になり、高周波増幅回路（以下、“ＲＦ回路”と表示する）の規模および負担が増大するという課題がある。
【００１７】
また、ホッピングパターンが既知であるため、ホッピングしていてもマルチスポット妨害等を受け通信を確立できないことがある。さらに、耐妨害性を高めるために未知のホッピングパターンを使用した場合、未知の周波数ホッピングを捕捉するためのＲＦ回路がさらに必要になるという課題がある。
【００１８】
また、特許文献１に記載の関連技術では、周波数コードを生成および同期する必要があり、また逆拡散するための高速な周波数シンセサイザも必要になることから、上記図１０に示す関連技術と同様に、ＲＦ部の規模および負担が増大するという課題がある。
【００１９】
一方、特許文献２〜４のいずれにも、ＲＦ部の規模および負担が増大し、かつ耐妨害性を高めることが困難という課題を解決する手段は記載されていない。
【００２０】
そこで本発明の目的は、ＲＦ部の規模および負担を減少させ、かつ耐妨害性を高めることが可能な周波数ホッピング無線通信装置およびその周波数ホッピング方法ならびに送信装置および受信装置を提供することにある。
【課題を解決するための手段】
【００２１】
前記課題を解決するために、本発明による周波数ホッピング無線通信装置は、一定時間毎に、任意の周波数帯域かつ任意のホッピングパターンで基準情報信号を送信する送信装置と、ホッピングパターンを含む信号を受信し、離散フーリェ変換を用いてホッピング信号の周波数を検出し、周波数検出したホッピング信号を復調して前記基準情報信号を得る受信装置とを含むことを特徴とする。
【００２２】
また、本発明による周波数ホッピング無線通信装置の周波数ホッピング方法は、一定時間毎に、任意の周波数帯域かつ任意のホッピングパターンで基準情報信号を送信する送信ステップと、ホッピングパターンを含む信号を受信し、離散フーリェ変換を用いてホッピング信号の周波数を検出し、周波数検出したホッピング信号を復調して前記基準情報信号を得る受信ステップとを含むことを特徴とする。
【００２３】
また、本発明による周波数ホッピング無線通信用送信装置は、一定時間毎に、任意の周波数帯域かつ任意のホッピングパターンで基準情報信号を送信することを特徴とする。
【００２４】
また、本発明による周波数ホッピング無線通信用受信装置は、一定時間毎に、任意の周波数帯域かつ任意のホッピングパターンで送信される基準情報信号を受信し、離散フーリェ変換を用いてホッピング信号の周波数を検出し、周波数検出したホッピング信号を復調して前記基準情報信号を得ることを特徴とする。
【発明の効果】
【００２５】
本発明によれば、ＲＦ部の規模および負担を減少させ、かつ耐妨害性を高めることが可能となる。
【図面の簡単な説明】
【００２６】
【図１】本発明に係る周波数ホッピング無線通信装置の動作原理を示す構成図である。
【図２】本発明に係る周波数ホッピング無線通信装置の一例の構成図である。
【図３】本発明に係る送信装置の周波数ホッピング部で生成されるホッピングパターンの一例の模式図である。
【図４】ＤＦＴ部２１４の動作の一例を示す模式図である。
【図５】本発明に係る周波数ホッピング方法の動作の一例を示すフローチャートである。
【図６】本発明に係る周波数ホッピング方法の動作の一例を示すフローチャートである。
【図７】本発明に係る周波数ホッピング無線通信装置の送信装置の一例の構成図である。
【図８】本発明に係る周波数ホッピング無線通信装置の受信装置の一例の構成図である。
【図９】関連技術におけるホッピング周波数の同期方法の一例を示す模式図である。
【図１０】関連技術におけるホッピング周波数の同期方法の他の一例を示す模式図である。
【発明を実施するための形態】
【００２７】
まず、実施の形態の説明に入る前に、本発明の動作原理について説明する。図１は本発明に係る周波数ホッピング無線通信装置の動作原理を示す構成図である。同図を参照すると、本発明に係る周波数ホッピング無線通信装置１は、送信装置１１と、受信装置２１とを含んで構成される。
【００２８】
送信装置１１は一定時間毎に、任意の周波数帯域かつ任意のホッピングパターンで基準情報信号を送信する。受信装置２１はホッピングパターンを含む信号を受信し、受信した信号を離散フーリェ変換してホッピング信号の周波数を検出し、周波数検出したホッピング信号を復調して基準情報信号を得る。
【００２９】
すなわち、本発明によれば、任意の周波数帯域内で基準情報信号のホッピングパターンをランダムに変えて送信装置１１から送信した信号を、受信装置２１で受信し、離散フーリェ変換を用いて周波数検出することで基準情報信号を得る構成であるため、ＲＦ部の規模および負担を減少させ、かつ耐妨害性を高めることが可能となるという顕著な効果を奏する。
【００３０】
以下、本発明の実施の形態について添付図面を参照しながら説明する。図２は本発明に係る周波数ホッピング無線通信装置の一例の構成図である。なお、同図において図１と同様の構成部分には同一番号を付し、その説明を省略する。
【００３１】
図２を参照すると、本発明に係る周波数ホッピング無線通信装置１は、送信装置１１と、受信装置２１とを含んで構成される。以下、基準情報信号を“ＮＴＲ信号”（ＮＴＲ：Ｎｅｔｗｏｒｋ  Ｔｉｍｅ  Ｒｅｆｅｒｅｎｃｅ）と表示する。また、基準情報信号はビーコン信号と表示される場合もある。
【００３２】
送信装置１１は変調部１１１と、周波数ホッピング部１１２と、電力増幅部１１３とを含んで構成される。
【００３３】
受信装置２１は、高周波増幅部２１１と、周波数変換部２１２と、ＡＤ（Ａｎｏｌｏｇ  ｔｏ  Ｄｉｇｉｔａｌ）変換部２１３と、ＤＦＴ（Ｄｉｓｃｒｅｔｅ  Ｆｏｕｒｉｅｒ  Ｔｒａｎｓｆｏｒｍ）部２１４と、復調部２１５とを含んで構成される。
【００３４】
次に、送信装置１１の動作の一例について説明する。ＮＴＲ信号は変調部１１１にて変調される。変調した信号は周波数ホッピング部１１２にて周波数ホッピングされる。そして、周波数ホッピングされた信号は電力増幅部１１３にて電力増幅され、所定の送信信号が得られる。
【００３５】
次に、送信装置１１の周波数ホッピング部１１２で生成されるホッピングパターンの一例について説明する。図３は本発明に係る送信装置の周波数ホッピング部で生成されるホッピングパターンの一例の模式図である。同図において、縦軸はホッピング周波数（Ｈｚ），横軸は時間（ｓｅｃ．）を示している。
【００３６】
同図を参照すると、送信装置１１から送出するＮＴＲ信号のホッピング周波数可変範囲は任意の周波数帯域内に制限される。同図では使用周波数範囲内において、ＮＴＲ信号のホッピング周波数の可変範囲をある周波数帯域（以下、“ＢＷ”（Ｂａｎｄ  Ｗｉｄｔｈ）と表示する）に制限して行う。同図では、ＢＷを１０ＭＨｚに設定した例を示している。
【００３７】
そして、その帯域内でＮＴＲ信号のホッピングパターンを、ＮＴＲ捕捉時間周期毎に、ランダムに変えて送出する。このとき、受信装置２１側では、ＮＴＲ信号が送出されるＢＷのＮＴＲ捕捉時間周期毎の可変周波数パターンについては既知とし、ＢＷ内のホッピングパターンは未知とする。
【００３８】
次に、受信装置２１の動作の一例について説明する。図２に戻り、受信した周波数ホッピング信号を含んだ高周波信号は、必要に応じて高周波増幅部２１１で高周波増幅される。次に、高周波増幅された信号は周波数変換部２１２にて中間周波数に変換される。次に、中間周波数に変換された信号はＡＤ変換部２１３にてアナログ信号からデジタル信号へ変換される。次に、そのデジタル信号はＤＦＴ部２１４にて離散フーリェ変換されて周波数の検出が行われ、さらに復調部２１５にて周波数情報が時間情報に変換されることによりＮＴＲ信号が得られる。
【００３９】
次に、受信装置２１におけるホッピング信号の捕捉処理の一例について説明する。関連技術では、上記送信装置１１から送信された周波数帯の信号を待ち受けし受信することができるが、周波数帯のどこにホッピング信号が存在するかは不明であるため、ＮＴＲ信号を得ることはできない。
【００４０】
そこで、本発明では、受信した信号を、ＤＦＴ部２１４にて周波数検出することによりＮＴＲ捕捉時間内のホッピング信号を検出し、その検出信号を復調部２１５にてパラレル信号からシリアル信号に変換してＮＴＲ信号を得る。
【００４１】
ここで、受信装置２１のＤＦＴ部２１４の動作の一例について説明する。図４はＤＦＴ部２１４の動作の一例を示す模式図である。なお、同図にはＤＦＴ部２１４の他、便宜上復調部（Ｐ／Ｓ部）２１５および図３に不図示の制御部２１６が併せて表示されている。
【００４２】
同図を参照すると、ＡＤ変換部２１３においてアナログ信号からデジタル信号に変換された受信信号は、ＤＦＴ部２１４へ入力されて周波数検出が行われる。同図には、ＤＦＴ部２１４にて受信信号が周波数ｆ１〜ｆｎ（ｎは正の整数）の信号に分離される一例を示している。周波数ｆ１〜ｆｎに分離された信号は復調部（Ｐ／Ｓ部）２１５にてパラレル信号からシリアル信号に変換され、これにより周波数情報がＮＴＲ信号を含んだ時間信号が出力される。制御部２１６はこの時間信号からＮＴＲ信号のみを抽出する。
【００４３】
以上説明したように、本発明の周波数ホッピング無線通信装置によれば、第１に低コストで小型の受信装置を構成することができる。すなわち、ＲＦ周波数がＮＴＲ捕捉時間内は一定であるため、ホッピング時刻の管理がしやすく、ＢＷも広帯域となるため、高性能な周波数シンセサイザやフィルタを設ける必要がなくなり、また複雑な同期アルゴリズムを設ける必要もなくなるため、ＲＦ回路規模を小さくできるという効果を奏する。
【００４４】
また、第２にホッピングパターンを送信側で任意に変更できるため、耐妨害性を高めることができる。すなわち、ＮＴＲ信号がホッピング信号として１０ＭＨｚ帯域内に分散するので、第三者が妨害しようとしても、周波数帯域は特定できる可能性があるが、ホッピングパターンが判らず、各種妨害の影響を軽減することができるという効果を奏する。
【００４５】
次に、本発明に係る周波数ホッピング無線通信装置の周波数ホッピング方法について説明する。図５および図６は本発明に係る周波数ホッピング方法の動作の一例を示すフローチャートである。図５は送信装置１１の動作を示し、図６は受信装置２１の動作を示している。
【００４６】
図５を参照すると、送信装置１１の変調部１１はＮＴＲ信号を変調する（ステップＳ１）。次に、周波数ホッピング部１１２は変調した信号を、一定時間毎に、任意の周波数帯域かつ任意のホッピングパターンでホッピングする信号に変換する（ステップＳ２）。そして、電力増幅部１１３はホッピング信号を電力増幅して送信する（ステップＳ３）。
【００４７】
図６を参照すると、受信装置２１の高周波増幅部２１１はホッピングパターンを含む信号を受信し高周波増幅する（ステップＳ１１）。周波数変換部２１２は高周波増幅した信号を周波数変換する（ステップＳ１２）。ＡＤ変換部２１３は周波数変換後のアナログ信号をデジタル信号に変換する（ステップＳ１３）。ＤＦＴ部２１４はデジタル変換後の信号を離散フーリェ変換する（ステップＳ１４）。復調部２１５は離散フーリェ変換後の信号を復調する（ステップＳ１５）。
【００４８】
以上説明したように、本発明の周波数ホッピング方法によれば、低コストで小型の受信装置を構成することおよび耐妨害性を高めることが可能な周波数ホッピング方法が得られる。
【００４９】
次に、本発明に係る送信装置について説明する。図７は本発明に係る周波数ホッピング無線通信装置の送信装置の一例の構成図である。同図を参照すると、送信装置３１の構成は図２の周波数ホッピング無線通信装置１に含まれる送信装置１１と同様である。したがって、各構成部分には図２と同様の番号を付している。このように、送信装置３１の構成は送信装置１１と同様であり、したがって動作も送信装置１１と同様であるため、その構成および動作の説明は省略する。
【００５０】
以上説明したように、本発明の送信装置３１によれば、耐妨害性を高めることができるという効果を奏する。
【００５１】
次に、本発明に係る受信装置について説明する。図８は本発明に係る周波数ホッピング無線通信装置の受信装置の一例の構成図である。同図を参照すると、受信装置４１の構成は図２の周波数ホッピング無線通信装置１に含まれる受信装置２１と同様である。したがって、各構成部分には図２と同様の番号を付している。このように、受信装置４１の構成は受信装置２１と同様であり、したがって動作も受信装置２１と同様であるため、その構成および動作の説明は省略する。
【００５２】
以上説明したように、本発明の受信装置４１によれば、低コストで小型の受信装置を構成することおよび耐妨害性を高めることができるという効果を奏する。
【００５３】
上記の実施形態の一部または全部は、以下の付記のようにも記載されうるが、以下には限られない。
【００５４】
（付記１）  送信ステップは、基準情報信号を変調する変調ステップと、前記基準情報信号を周波数ホッピングする周波数ホッピングステップと、周波数ホッピング後の信号を電力増幅する電力増幅ステップとを含むことを特徴とする周波数ホッピング方法。
【００５５】
（付記２）  受信ステップは、ホッピングパターンを含む信号を受信して高周波増幅する高周波増幅ステップと、高周波増幅した信号を周波数変換する周波数変換ステップと、周波数変換後のアナログ信号をデジタル信号に変換するＡＤ（Ａｎｏｌｏｇ  ｔｏ  Ｄｉｇｉｔａｌ）変換ステップと、デジタル変換後の信号を離散フーリェ変換するＤＦＴ（Ｄｉｓｃｒｅｔｅ  Ｆｏｕｒｉｅｒ  Ｔｒａｎｓｆｏｒｍ）ステップと、離散フーリェ変換後の信号を復調する復調ステップとを含むことを特徴とする周波数ホッピング方法。
【００５６】
（付記３）  基準情報信号が送信される一定時間毎の周波数帯域幅は、ホッピング周波数可変帯域幅のｎ（ｎは２以上の整数）分の１であることを特徴とする周波数ホッピング無線通信用送信装置。
【００５７】
（付記４）  前記基準情報信号を変調する変調部と、前記基準情報信号を周波数ホッピングする周波数ホッピング部と、周波数ホッピング後の信号を電力増幅する電力増幅部とを含むことを特徴とする付記３に記載の送信装置。
【００５８】
（付記５）  一定時間毎に基準情報信号が送信される周波数帯域パターンは受信装置側において既知であることを特徴とする周波数ホッピング無線通信用受信装置。
【００５９】
（付記６）  前記基準情報信号が送信される一定時間毎の周波数帯域幅は、ホッピング周波数可変帯域幅のｎ（ｎは２以上の整数）分の１であることを特徴とする付記５に記載の受信装置。
【００６０】
（付記７）  ホッピングパターンを含む信号を受信して高周波増幅する高周波増幅部と、高周波増幅した信号を周波数変換する周波数変換部と、周波数変換後のアナログ信号をデジタル信号に変換するＡＤ（Ａｎｏｌｏｇ  ｔｏ  Ｄｉｇｉｔａｌ）変換部と、デジタル変換後の信号を離散フーリェ変換するＤＦＴ（Ｄｉｓｃｒｅｔｅ  Ｆｏｕｒｉｅｒ  Ｔｒａｎｓｆｏｒｍ）部と、離散フーリェ変換後の信号を復調する復調部とを含むことを特徴とする付記５または６に記載の受信装置。
【産業上の利用可能性】
【００６１】
本発明をソフトウエア無線機のような、受信する無線周波数が変化する受信機に適用することが可能である。
【符号の説明】
【００６２】
１  周波数ホッピング無線通信装置
１１，３１  送信装置
２１，４１  受信装置
１１１  変調部
１１２  周波数ホッピング部
１１３  電力増幅部
２１１  高周波増幅部
２１２  周波数変換部
２１３  ＡＤ変換部
２１４  ＤＦＴ部
２１５  復調部
２１６  制御部
【図１】
2011188316.tif 000003
【図２】
2011188316.tif 000004
【図３】
2011188316.tif 000005
【図４】
2011188316.tif 000006
【図５】
2011188316.tif 000007
【図６】
2011188316.tif 000008
【図７】
2011188316.tif 000009
【図８】
2011188316.tif 000010
【図９】
2011188316.tif 000011
【図１０】
2011188316.tif 000012